(57)【要約】【課題】従来の微生物利用の生ごみ等の生ごみ処理機にあっては前記生ごみの分解時に排出される臭気物質が多量に一時に排出されることによって、より高濃度の臭気物質が排出され、臭気が高いなどの課題を有していた。【解決手段】微生物による処理槽２に設けた排気通路１０の排出口の近傍に吸着材１２を配置し、より臭気物質の排出量を抑制し、臭気の低い生ごみ処理機を実現するものである。【選択図】  図１
2005013924.tif 000002
【特許請求の範囲】
【請求項１】
オガクズ等の担体を内装し、上方に生ごみ等を投入する開閉自在なる蓋体を備え、微生物により生ごみを分解処理する処理槽と、原動機によって駆動される、処理槽内の担体等の内装物を攪拌する攪拌手段と、本体の外気と処理槽内を連通した給気通路と、同じく外気と連通した排気通路を備え、前記排気通路が外気に望む排気口の近傍に、臭気物質等を吸着する吸着材を設けた生ごみ処理機。
【請求項２】
排気通路に処理槽からの空気を排気する排気送風機を内装し、前記排気送風機の送風方向を選択的に処理槽から外気へ外気から処理槽へいずれかを選択的に駆動する制御装置を備えた請求口１記載の生ごみ処理機。
【請求項３】
排気通路に処理槽からの空気を排気する排気送風機を内装し、同様に給気通路にも処理槽からの空気を排気する給気側排気送風機を内装し、排気送風機と給気側排気送風機のいずれかを選択的に駆動する制御装置を備えた請求口１記載の生ごみ処理機。
【請求項４】
操作装置の操作もしくは蓋体の開閉の操作を検知する検知手段よりの信号により、排気通路の排気送風機と給気通路の給気側排気送風機をともに処理槽からの空気を排気する側に駆動する制御装置を備えた請求口３記載の生ごみ処理機。
【請求項５】
稼動経過時間等の情報により排気送風機と給気側排気送風機の動作する時間をそれぞれ所定の時間とし、連続的にもしくは所定の休止時間をはさんで断続的に交互に駆動する制御装置を備えた請求口３記載の生ごみ処理機。
【請求項６】
操作装置の操作もしくは蓋体の開閉の操作を検知する検知手段よりの信号により、排気通路の排気送風機と給気通路の給気側排気送風機をともに外気から処理槽へ空気を送風する側に駆動する制御装置を備えた請求口３記載の生ごみ処理機。
【請求項７】
操作装置の操作もしくは蓋体の開閉の操作を検知する検知手段よりの信号により、所定時間の排気通路の排気送風機の駆動と続いて所定時間の給気通路の給気側排気送風機の駆動を制御する制御装置を備えた請求口３記載の生ごみ処理機。
【発明の詳細な説明】
【０００１】
【発明の属する技術分野】
本発明は主として家庭用又は業務用の廃棄物を減容、減量処理する生ごみ処理機に関するものである。
【０００２】
【従来の技術】
従来、この種の生ごみ処理機は生ごみを微生物で分解し、減容、減量するものである（例えば、特許文献１参照）。
【０００３】
図６は従来の生ごみ処理機の構成を示した図である。図６に示すように、生ごみ処理機本体４０内に微生物の生息場所となるおがくず等の微生物担体４１を入れた微生物処理槽４２と、投入された生ごみ４３と微生物担体４１とを混合、撹拌するための回転撹拌棒４４及びその駆動装置４５を有し、投入された生ごみ４３を微生物により最終的には二酸化炭素と水、その他に分解し、生ごみ４３を減量、減容するもので、微生物処理槽４２内の温度を適正に保つための加熱手段４６、酸素（空気）を供給するための送風装置４７、それらの制御を行う制御手段（図示せず）を備え、微生物の働きにより生ごみ等の廃棄物を分解し減量、減容するいわゆるバイオ式生ごみ処理機といわれる装置が一般的に知られている。
【０００４】
【特許文献１】
特開平０５−３１９９４０号公報
【０００５】
【発明が解決しようとする課題】
しかしながら、前記従来の技術で述べたバイオ式生ごみ処理機にあっては、生ごみ本来の臭気や分解に伴い生成される分解生成物や、分解の過程で生成される中間生成物などの臭気物質の排出が避けられず、周囲への臭気排出がその課題となっていた。
【０００６】
本発明は、前記従来の課題を解決するもので、臭気のレベルを平準化し、より強い臭気の排出を防止するもので、より低いランニングコストで、生ごみ処理機の周囲に対する臭気を低減することを目的とするものである。
【０００７】
【課題を解決するための手段】
前記従来の課題を解決するために、本発明の生ごみ処理機は生ごみ等の廃棄物を収容し、担体等と攪拌し、微生物により分解処理する処理槽に外気と連通する給気通路と、同じく外気と連通した排気通路を備えた生ごみ処理機で、同排気通路が外気に望む排気口の近傍に、臭気物質等を吸着する吸着材を備えることにより、臭気を発生の少ない使い勝手の良い生ごみ処理機を提供するものである。
【０００８】
これにより、排気中に拡散する臭気物質の排気量を抑え、臭気を発生の少ない使い勝手の良い生ごみ処理機の実現が可能となるものである。
【０００９】
【発明の実施の形態】
請求項１に記載の発明は、上方に生ごみ等を投入する開閉自在なる蓋体を備え微生物により生ごみを分解処理する処理槽と、原動機によって駆動され処理槽内の担体等内装物を原動機によって駆動され攪拌する攪拌手段と、外気と連通した給気通路と、同じく外気と連通した排気通路を備えた生ごみ処理機で、同排気通路が外気に望む排気口の近傍に、臭気物質等を吸着する吸着材を備えることにより、排気中に拡散する臭気物質の排気量を抑え、臭気を発生の少ない使い勝手の良い生ごみ処理機の実現が可能となるものである。
【００１０】
請求項２に記載の発明は、排気通路に処理槽からの空気を排気する排気送風機を内装し、同排気送風機の送風方向を選択的に処理槽から外気へ外気から処理槽へいずれかを選択的に駆動する制御装置を備えたことによって、臭気物質の排出のピークを押さえ、一定の排出濃度に抑え、よって臭気強度を低減し、臭気の少ない使い勝手の良い生ごみ処理機の実現が可能となるものである。
【００１１】
請求項３に記載の発明は、排気通路に処理槽からの空気を排気する排気送風機を内装し、同様に給気通路にも処理槽からの空気を排気する給気側排気送風機を内装し、排気送風機と給気側排気送風機のいずれかを選択的に駆動する制御装置を備えることで、排気拡散の効率を向上し、臭気物質の排出のピークを押さえ、一定の排出濃度に抑え、よって臭気強度を低減し、臭気の少ない使い勝手の良い生ごみ処理機の実現が可能となるものである。
【００１２】
請求項４に記載の発明は、操作装置の操作もしくは蓋体の開閉の操作を検知する検知手段よりの信号により、排気通路の排気送風機と給気通路の給気側排気送風機をともに処理槽からの空気を排気する側に駆動する制御装置を備えることで、排気空気量を拡大し、一定の排出濃度に抑え、よって臭気強度を低減し、臭気の少ない使い勝手の良い生ごみ処理機の実現が可能となるものである。
【００１３】
請求項５に記載の発明は、稼動経過時間等の情報により排気送風機と給気側排気送風機の動作する時間をそれぞれ所定の時間とし、連続的にもしくは所定の休止時間をはさんで断続的に交互に駆動する制御装置を備えことで、臭気物質の排出のピークを押さえ、一定の排出濃度に抑え、よって臭気強度を低減し、臭気の少ない使い勝手の良い生ごみ処理機の実現が可能となるものである。
【００１４】
請求項６に記載の発明は、操作装置の操作もしくは蓋体の開閉の操作を検知する検知手段よりの信号により、排気通路の排気送風機と給気通路の給気側排気送風機をともに外気から処理槽へ空気を送風する側に駆動する制御装置を備えことで、処理槽内の乾燥を促進させ、もって処理槽内の臭気物質の発生を抑制し、臭気物質の排出のピークを押さえ、一定以下の排出濃度に抑え、よって臭気強度を低減し、臭気の少ない使い勝手の良い生ごみ処理機の実現が可能となるものである。
【００１５】
請求項７に記載の発明は、操作装置の操作もしくは蓋体の開閉の操作を検知する検知手段よりの信号により、所定時間の排気通路の排気送風機の駆動と続いて所定時間の給気通路の給気側排気送風機の駆動を制御する制御装置を備えことで、排気拡散の効率を向上し、臭気物質の排出のピークを押さえ、一定の排出濃度に抑え、よって臭気強度を低減し、臭気の少ない使い勝手の良い生ごみ処理機の実現が可能となるものである。
【００１６】
【実施例】
以下本発明の実施例について、図面を参照しながら説明する。
【００１７】
（実施例１）
図１は、本発明の第１の実施例における生ごみ処理機の断面図を示すものである。図１において１は生ごみ処理機本体（以下、本体と呼ぶ）である。２は本体１の内部に配置された微生物により生ごみを分解する処理槽である。処理槽２内には制御装置３に接続された原動機４により回転駆動される攪拌翼５が回転し、処理槽２内に内装された生ごみおよびおがくず等の担体６等を攪拌するものである。７は本体１の上部、処理槽２の上方に位置する蓋体にして、処理槽２の上方に開閉自在に接続されている。８は給気通路にして外気と処理槽２を連通する通気路にして、送風機９が配置されている。１０は排気通路にして排気口１１で外気に望んでいる。１２は、吸着材にして排気口１１の近傍に配置され、排気通路１０を通気する空気が通気し、空気に含まれる臭気物質を吸着するものである。１３は排気側送風機にして、排気通路１０内に配置されている。
【００１８】
以上の構成において、その動作を説明する。
【００１９】
おがくず等の担体６等を内装する処理槽２は原動機４により回転駆動される攪拌翼５によって定期的に攪拌されている。この状態で、蓋体７を開けて生ごみを投入し、蓋体７を閉じるとそのまま、担体６に攪拌され、内部の微生物に分解されるものである。
【００２０】
ところで、排気通路１０に設けられた排気側送風機１３は処理槽２内から外気に向かって排気する。これによって処理槽２内の臭気物質は処理槽から排出されるが、この排気は排気口１１近傍に設けられた吸着材１２を通る際に臭気物質を吸着され、周辺外気の臭気は低く、抑えられるものである。
【００２１】
また、前記排気側送風機１３の送風は通常の場合処理槽２内から外気に向かって送風され、吸着材１２に処理槽２内からの生ごみの分解による排出を防ぐものである。以上述べたように本発明の請求項１に述べた生ごみ処理機によれば、排気中に拡散する臭気物質の排気量を抑え、臭気を発生の少ない使い勝手の良い生ごみ処理機の実現が可能となるものである。
【００２２】
ところで、臭気物質等の発生はその生ごみ分解の過程で、排出が多くなり、また、分解が終わるとその後だんだん少なくなる。そのため、場合によって排気側送風機１３を逆方向に回転することによって、外気から処理槽２内へ送風する。風は外気から吸着材１２を経て、処理槽２内へ流動し、給気通路８を経て外気に至る。これによって、吸着材１２にはきれいな外気が通気するため、蓄積した臭気物質を放出することが可能で、再生することができるものである。
【００２３】
以上述べたように本発明の請求項２に記載の発明によれば、排気側送風機１３の送風方向を選択的に処理槽２から外気へ外気から処理槽２へいずれかを選択的に駆動する制御装置３を備えたことによって、臭気物質の排出のピークを押さえ、一定の排出濃度に抑え、よって臭気強度を低減し、臭気の少ない使い勝手の良い生ごみ処理機の実現が可能となるものである。
【００２４】
さて、同様に通常、外気から処理槽２へ空気を流入する給気通路８に設けた送風機９と排気側送風機１３をどちらも処理槽２から外気へ向かって送風する排気側で用い、通常、排気側送風機１３を、吸着材１２の再生時には給気通路８に設けた送風機９をそれぞれ選択的に駆動することにより、臭気物質の排出のピークを押さえ、一定の排出濃度に抑え、よって臭気強度を低減することができるものである。以上述べたように本発明の請求項３に記載の発明によれば、排気側送風機１３と給気側の送風機９のいずれかを選択的に駆動する制御装置３を備えることで、排気拡散の効率を向上し、臭気物質の排出のピークを押さえ、一定の排出濃度に抑え、よって臭気強度を低減し、臭気の少ない使い勝手の良い生ごみ処理機の実現が可能となるものである。
【００２５】
さらに、同構成において、操作装置（図示せず）の操作もしくは蓋体７の開閉の操作を検知する検知手段１４のいずれかの信号により、前記排気側送風機１３と給気側の送風機９をともに排気側にすることにより、処理槽２内の臭気物質は急速に排除することが可能となるものである。
【００２６】
以上述べたように本発明の請求項４に記載の発明によれば、操作装置の操作もしくは蓋体の開閉の操作を検知する検知手段よりの信号により、排気通路の排気送風機と給気通路の給気側排気送風機をともに処理槽からの空気を排気する側に駆動する制御装置を備えることで、排気空気量を拡大し、一定の排出濃度に抑え、よって臭気強度を低減し、臭気の少ない使い勝手の良い  生ごみ処理機の実現が可能となるものである。
【００２７】
図２は本発明の第一の実施例と同様の構造における実施例の送風機の駆動状態を表す図である。排気側送風機１３と給気通路８側の送風機９の運転を稼動経過時間等の情報によりそれぞれ所定の時間とし、連続的にもしくは所定の休止時間をはさんで断続的に交互に運転するもので、吸着材１２の吸着、再生を所定の時間間隔で実施できるもので、臭気物質の排出のピークを押さえ、一定の排出濃度に抑え、よって臭気強度を低減し、臭気の少ない使い勝手の良い生ごみ処理機の実現が可能となるものである。
【００２８】
以上述べたように本発明の請求項５に記載の発明によれば、稼動経過時間等の情報により排気送風機と給気側排気送風機の動作する時間をそれぞれ所定の時間とし、連続的にもしくは所定の休止時間をはさんで断続的に交互に駆動する制御装置を備えことで、臭気物質の排出のピークを押さえ、一定の排出濃度に抑え、よって臭気強度を低減し、臭気の少ない使い勝手の良い生ごみ処理機の実現が可能となるものである。
【００２９】
さらに、同構成において、操作装置（図示せず）の操作もしくは蓋体７の開閉の操作を検知する検知手段１４のいずれかの信号により、排気通路１１の排気側送風機１３と給気通路８の送風機９を同時に外気より処理槽２内に送風することにより、処理槽２内の乾燥を促進させ、もって処理槽２内の水分過多を解消できるもので、臭気物質の排出のピークを押さえ、一定以下の排出濃度に抑え、よって臭気強度を低減し、臭気の少ない使い勝手の良い生ごみ処理機の実現が可能となるものである。
【００３０】
以上述べたように本発明の請求項６に記載の発明によれば、排気通路１１の排気側送風機１３と給気通路８の送風機９をともに外気から処理槽２へ空気を送風する側に駆動する制御装置３を備えことで、処理槽２内の乾燥を促進させ、もって処理槽２内の臭気物質の発生を抑制し、臭気物質の排出のピークを押さえ、一定以下の排出濃度に抑え、よって臭気強度を低減し、臭気の少ない使い勝手の良い生ごみ処理機の実現が可能となるものである。
【００３１】
また、同構成において、操作装置（図示せず）の操作もしくは蓋体７の開閉の操作を検知する検知手段１４のいずれかの信号により、所定時間の排気通路の排気送風機の駆動と続いて所定時間の給気通路の給気側排気送風機の駆動を制御する制御装置を備えた。このようにすることで、生ごみの投入からの臭気発生の比較的多い時には吸着材１２に吸着し、その後臭気物質の生成が、少なくなれば、吸着材１２を再生することが可能となり、臭気物質の排出のピークを押さえ、一定の排出濃度に抑え、よって臭気強度を低減できるものである。
【００３２】
以上述べたように本発明の請求項７に記載の発明によれば、操作装置の操作もしくは蓋体７の開閉の操作を検知する検知手段１４よりの信号により、所定時間の排気通路１１の排気側送風機１３の駆動と続いて所定時間の給気通路８の送風機９の駆動を制御する制御装置３を備えことで、排気拡散の効率を向上し、臭気物質の排出のピークを押さえ、一定の排出濃度に抑え、よって臭気強度を低減し、臭気の少ない使い勝手の良い生ごみ処理機の実現が可能となるものである。
【００３３】
【発明の効果】
以上のように、請求項１〜７に記載の発明によれば、微生物等によって生ごみを分解処理する生ごみ処理機で、生ごみ処理気より排出される臭気物質の量のピークを低減し、平準化することにより集中的な臭気物質排出を防止し、臭気を発生の少ない使い勝手の良い生ごみ処理機の実現が可能となるものである。
【図面の簡単な説明】
【図１】本発明の実施例１における生ごみ処理機の断面図
【図２】本発明の実施例１における生ごみ処理機の送風機の駆動状態を表す図
【図３】従来の生ごみ処理機の構成図
【符号の説明】
１  生ごみ処理機本体
２  処理槽
３  制御装置
４  原動機
５  攪拌翼
６  担体
７  蓋体
８  給気通路
９  送風機
１０  排気通路
１１  排気口
１２  吸着材
１３  排気側送風機
１４  検知手段
【図１】
2005013924.tif 000003
【図２】
2005013924.tif 000004
【図３】
2005013924.tif 000005